(57)【要約】【課題】通帳類の見返しチェックの際に確実にページ残りを検知できるページ捲り装置を提供する。【解決手段】ページ捲り装置１は、金融機関等で扱う通帳類の見返し対象ページ９１を捲りローラ３で押さえ、押さえられた見返し対象ページ９１側に綴じ目部９２が移動する方向で通帳類をピンチローラ９により搬送して見返し対象ページを撓ませて、撓みの大きさを見返しチェック検知センサ１１３により検出し、表紙と中紙とで撓みの大きさが異なることから中紙の有無を判定して見返しチェックをする。【選択図】図１
2010125788.tif 000002
【特許請求の範囲】
【請求項１】
表紙と前記表紙よりも軟質の中紙とが綴じ目部を介して綴じられる冊子を捲るページ捲り装置において、
前記冊子の見返し対象ページを押さえる押さえ機構と、
押さえられた前記見返し対象ページ側に前記綴じ目部が移動する方向で前記冊子を搬送する搬送機構と、
前記搬送の際に前記見返し対象ページに当接して搬送をガイドするとともに、一端を回動自在に軸支され、前記搬送による前記見返し対象ページの撓みにしたがい回動するガイド部と、
前記表紙または前記中紙の撓みに基づく前記回動を検出可能な位置に配置されて、前記ガイド部のガイド状態を検出するガイド状態検出部と、
前記中紙の撓みに基づく前記回動のみを検出可能な位置に配置されて、前記中紙を検出する中紙検出部と、
を備えたことを特徴とするページ捲り装置。
【請求項２】
前記見返し対象ページの前記中紙の有無を判定する中紙有無判定手段を備えることを特徴とする請求項１記載のページ捲り装置。
【請求項３】
前記中紙有無判定手段は、検出した前記ガイド状態を経た前記中紙検出により、前記見返し対象ページの前記中紙の有無を判定することを特徴とする請求項１記載のページ捲り装置。
【請求項４】
表紙と前記表紙よりも軟質の中紙とが綴じ目部を介して綴じられる冊子を捲るページ捲り装置において、
シャフトを中心とした略扇形の断面形状を有してその曲面部分を前記冊子の紙面との摩擦接触面とし、前記シャフトの回転駆動に伴い前記冊子の見返し対象ページを前記摩擦接触面で押さえる捲りローラと、
前記冊子を搬送路に沿って搬送する搬送機構と、
前記冊子の搬送の際に前記見返し対象ページに当接し、当接部が前記捲りローラと前記綴じ目部との間に位置するように配置され、一端を回動自在に軸支され前記搬送による前記見返し対象ページの撓みにしたがい回動するガイド部材と、
前記表紙または前記中紙の撓みに基づく前記回動を検出可能な位置に配置されて、前記ガイド部材のガイド状態を検出するガイド状態検出器と、
前記中紙の撓みに基づく前記回動のみを検出可能な位置に配置されて、前記中紙を検出する中紙検出器と、
を備えたことを特徴とするページ捲り装置。
【請求項５】
前記ガイド部材の回動軸は、前記捲りローラが前記冊子の見返し対象ページを押さえているときに、前記冊子の非見返し対象ページ上方に位置することを特徴とする請求項４記載のページ捲り装置。
【請求項６】
前記ガイド部材は、前記当接部より他端部側に遮光板を備え、
前記ガイド状態検出器および前記中紙検出器は、前記遮光板の回動による通光状態と遮光状態とを検出するフォトセンサであることを特徴とする請求項５記載のページ捲り装置。
【請求項７】
前記捲りローラにより前記冊子の見返し対象ページを押さえた後、前記搬送機構により前記見返し対象ページ側に前記綴じ目部が移動する方向で前記冊子を搬送し、前記中紙検出器による前記遮光板の検出に基づいて、中紙検出を判定する中紙検出判定手段を備えることを特徴とする請求項６記載のページ捲り装置。
【請求項８】
前記搬送機構は、
搬送路から退避した状態と、搬送路に臨んで前記冊子を搬送路に沿って移動させる搬送可能状態とを切替可能な第一搬送ローラと、
搬送路から退避した状態と、搬送路に臨んで前記冊子を搬送路に沿って移動させる搬送可能状態とを切替可能であって、前記第一搬送ローラと搬送方向に所定距離だけ離間した第二搬送ローラと、
前記搬送路を挟んで前記第一搬送ローラの反対側の位置に、前記シャフトの回転軸上に回動可能に設けられ、前記シャフトを中心とした半径が、前記捲りローラの前記摩擦接触面から前記シャフトの中心までの距離より小さく形成された第一ガイドローラと、
前記搬送路を挟んで前記第二搬送ローラの反対側の位置に回動可能に設けられた第二ガイドローラとを、を備え、
前記第一搬送ローラを搬送路から退避させて前記捲りローラにより前記冊子の見返し対象ページを押さえ、前記第一搬送ローラと前記第二搬送ローラとを搬送可能状態にして前記第一搬送ローラと前記第二搬送ローラの駆動とにより前記見返し対象ページ側に前記綴じ目部が移動する方向で前記冊子をわずかに搬送し、前記第二搬送ローラを搬送路から退避させ、前記見返し対象ページ側に前記綴じ目部が移動する方向で前記冊子を搬送し、前記中紙検出器による前記遮光板の検出に基づいて、中紙検出を判定する中紙検出判定手段を備えることを特徴とする請求項６記載のページ捲り装置。
【発明の詳細な説明】
【技術分野】
【０００１】
本発明は、表紙および複数の中紙からなる冊子を綴り目方向に捲るページ捲り装置に関し、特に裏表紙閉じ前の見返しチェックが可能なページ捲り装置に関する。
【背景技術】
【０００２】
たとえば、金融機関等に設置される通帳発行機では、通帳への記帳がおこなわれる。この通帳への記帳は、通帳発行機の通帳プリンタ部でおこなわれる。通帳プリンタの基本動作には、通帳表紙捲り、ページ捲り動作がある。そしてさらに、表紙捲り動作の後、あるいはページを全て捲り裏表紙を閉じる前には、表紙あるいは裏表紙が１枚であるかを確認する。つまり、表紙あるいは裏表紙とともに中紙のページが残っていないかを確認する。この中紙のページ残りを確認する動作は、見返しチェックと呼ばれている。見返しチェックには、前述したとおり、表紙捲り後の見返しチェックと、裏表紙閉じ前の見返しチェックとがある。
【０００３】
通帳発行機においては、表紙捲り機構が独立しているため、表紙捲り後の見返しチェックは、表紙捲り機構部でおこなっている。そして、表紙捲り機構部は、その機能を特化したものであるため、裏表紙閉じ前の見返しチェックは、裏表紙閉じ動作をおこなう通帳プリンタ部でおこなっている。
【０００４】
通帳プリンタ部は、印字された通帳が搬送されるため、各搬送ローラに通帳の記帳面から記帳後のインクが転写し、このインクが見返しチェック時に通帳に転写されるという問題があった。搬送ローラのインク汚れは、通帳を汚すばかりか、搬送ローラが適切な摩擦力を失い通帳との間でスリップし、見返しチェック失敗の原因ともなる。そこで、表紙捲り機構部が備えるインク転写の影響を受けない捲りローラで裏表紙閉じ前の見返しチェックをする機構および制御の提案がある（たとえば、特許文献１参照）。
【０００５】
ページ捲り装置の捲りローラを取り付けたシャフトに、さらにガイド部材を取り付けるものであり、ガイド部材が紙面の膨らみに応じて回転され、回転角度をもとに中紙の有無を検出することで見返しチェックをおこなう。
【特許文献１】特開２００４−１１４５６９号公報
【発明の開示】
【発明が解決しようとする課題】
【０００６】
しかしながら、従来の表紙捲り機構に対する変更箇所が大きく、従来品に対する機能拡張が容易ではなかった。また、ガイド部材が通帳の排出方向側に突出して設けられるため表紙捲り機構の設置を制約するおそれがあった。また、ガイド部材を十分な大きさにすることが設置制約上困難なため、ガイド部材と通帳の当接位置と、ガイド部材の回転軸とが近接し、紙面の膨らみを回転角度の変化として好適に検知することが容易ではなかった。
【０００７】
本発明はこのような点に鑑みてなされたものであり、誤検知を防止しながら、確実にページ残りを検知できるページ捲り装置を提供することを目的とする。
【課題を解決するための手段】
【０００８】
本発明では上記課題を解決するために、表紙と表紙よりも軟質の中紙とが綴じ目部を介して綴じられる冊子を捲るページ捲り装置において、前記冊子の見返し対象ページを押さえる押さえ機構と、押さえられた前記見返し対象ページ側に前記綴じ目部が移動する方向で前記冊子を搬送する搬送機構と、前記搬送の際に前記見返し対象ページに当接して搬送をガイドするとともに、一端を回動自在に軸支され、前記搬送による前記見返し対象ページの撓みにしたがい回動するガイド部と、前記表紙または前記中紙の撓みに基づく前記回動を検出可能な位置に配置されて、前記ガイド部のガイド状態を検出するガイド状態検出部と、前記中紙の撓みに基づく前記回動のみを検出可能な位置に配置されて、前記中紙を検出する中紙検出部と、を備えたことを特徴とするページ捲り装置が提供される。
【０００９】
このようなページ捲り装置によれば、押さえ機構は、冊子の見返し対象ページを押さえる。搬送機構は、押さえられた見返し対象ページ側に綴じ目部が移動する方向で冊子を搬送する。ガイド部は、搬送の際に見返し対象ページに当接して搬送をガイドするとともに、一端を回動自在に軸支され、搬送による見返し対象ページの撓みにしたがい回動する。ガイド状態検出部は、表紙または中紙の撓みに基づく回動を検出可能な位置に配置されて、ガイド部のガイド状態を検出する。中紙検出部は、中紙の撓みに基づく回動のみを検出可能な位置に配置されて、中紙を検出する。
【００１０】
また、本発明では上記課題を解決するために、表紙と表紙よりも軟質の中紙とが綴じ目部を介して綴じられる冊子を捲るページ捲り装置において、シャフトを中心とした略扇形の断面形状を有してその曲面部分を前記冊子の紙面との摩擦接触面とし、前記シャフトの回転駆動に伴い前記冊子の見返し対象ページを前記摩擦接触面で押さえる捲りローラと、前記冊子を搬送路に沿って搬送する搬送機構と、前記冊子の搬送の際に前記見返し対象ページに当接し、当接部が前記捲りローラと前記綴じ目部との間に位置するように配置され、一端を回動自在に軸支され前記搬送による前記見返し対象ページの撓みにしたがい回動するガイド部材と、前記表紙または前記中紙の撓みに基づく前記回動を検出可能な位置に配置されて、前記ガイド部材のガイド状態を検出するガイド状態検出器と、前記中紙の撓みに基づく前記回動のみを検出可能な位置に配置されて、前記中紙を検出する中紙検出器と、を備えたことを特徴とするページ捲り装置が提供される。
【００１１】
このようなページ捲り装置によれば、捲りローラは、シャフトを中心とした略扇形の断面形状を有してその曲面部分を冊子の紙面との摩擦接触面とし、シャフトの回転駆動に伴い冊子の見返し対象ページを摩擦接触面で押さえる。搬送機構は、冊子を搬送路に沿って搬送する。ガイド部材は、冊子の搬送の際に見返し対象ページに当接し、当接部が捲りローラと綴じ目部との間に位置するように配置され、一端を回動自在に軸支され搬送による見返し対象ページの撓みにしたがい回動する。ガイド状態検出器は、表紙または中紙の撓みに基づく回動を検出可能な位置に配置されて、ガイド部材のガイド状態を検出する。中紙検出器は、中紙の撓みに基づく回動のみを検出可能な位置に配置されて、中紙を検出する。
【発明の効果】
【００１２】
開示のページ捲り装置によれば、誤検知を防止しながら、確実にページ残りを検知できる。
【発明を実施するための最良の形態】
【００１３】
以下、本発明の実施の形態を図面を参照して説明する。
図１は、本実施の形態に係るページ捲り装置の構成を示す側断面図である。図１に示すページ捲り装置１は、金融機関等の窓口に設置され、通帳が挿入されて文字やデータの読み取り、印字等の処理が行われる通帳処理装置等に搭載される。
【００１４】
この通帳処理装置では、通帳の搬送路に沿って、磁気ストライプの読み取り機構や印字機構等が配置され、たとえば印字機構の後段に、通帳の中紙を捲る中紙捲り機構が配置され、そのさらに後段に表紙捲り機構が配置される。そして、その後段には通帳補充機構が配置される。本実施の形態で示すページ捲り装置は、この表紙捲り機構として用いられるものである。
【００１５】
なお、ここで使用される通帳は、比較的剛性の高い（硬質の）表紙に、比較的剛性の低い（軟質の）複数の中紙が綴じ込まれた冊子状の構成を有しているものとする。図示された通帳９０は、見返し対象ページ９１を開いた状態であり、綴じ目部９２を中心にして左側に見返し対象ページ９１を、右側に残りのページ（非見返し対象ページ）が位置している。なお、見返し対象ページとは、開いた冊子の表紙または裏表紙を閉じる際に、表紙または裏表紙が１枚であるか、つまり表紙または裏表紙とともに中紙が残っていないかをチェックする対象となっているページをいう。
【００１６】
ページ捲り装置１は、通帳９０の搬送機構として、第１ピンチローラ（搬送ローラ）９と、第１ピンチローラ９と対向する位置に配置された第１ガイドローラ（従動ローラ）２と、第２ピンチローラ（搬送ローラ）１５と、第２ピンチローラ１５と対向する位置に配置された第２ガイドローラ（従動ローラ）２５、とを有している。これらの搬送機構により、通帳９０を搬送路に沿って搬送する。
【００１７】
また、搬送路は、搬送路上面と搬送路下面とにより形成され、搬送路上面は、膨らみ検知パネル２８、ガイド６、７および図示しないガイドにより形成され、搬送路下面は、ガイド８、およびプレッシャ２７により形成される。
【００１８】
これら各構成要素について、搬送機構構成要素周辺、搬送路形成要素周辺の順に説明する。
第１ピンチローラ９は、第１ピンチローラ軸支部材１１に第１ピンチローラ回転軸１０で回転自在に軸支される。なお、第１ピンチローラ回転軸１０は、後段搬送、表紙捲り用モータ１０８（図１に図示せず）に連結された駆動軸である。第１ピンチローラ軸支部材１１は、第１押し上げレバ１３の作動により回動可能に第１ピンチローラ軸支部材回動軸１２に組み付けられている。また、第１ピンチローラ軸支部材１１は、第１ピンチローラ９が搬送路に臨む方向に図示しない付勢ばねで付勢される。このように、第１ピンチローラ９は、搬送路に対して昇降可能とされており、搬送時にローラ面を通帳９０に接触させて第１ガイドローラ２との間で押圧し、回転することにより通帳９０を搬送路に沿って移動させる。
【００１９】
第１押し上げレバ１３は、表紙捲りガイド駆動用マグネット１０９（図１に図示せず）に連結され、第１押し上げレバ回動軸１４を回動軸として回動する。表紙捲りガイド駆動用マグネット１０９は、ＯＦＦ状態で第１ピンチローラ９を搬送路に臨ませ、ＯＮ状態で第１ピンチローラ９を搬送路から後退させる。
【００２０】
また、表紙捲りガイド駆動用マグネット１０９は、後段搬送、表紙捲り用モータ１０８の駆動力をシャフト５に伝達するギアの連結と解除を切り替える。表紙捲りガイド駆動用マグネット１０９のＯＦＦ状態で図示しないギアの連結が解除されるとともにシャフト５の回動がロックされ、ＯＮ状態でシャフト５の回動のロックが解除されるとともに、ギアが連結される。
【００２１】
シャフト５には、捲りローラ３が固定されているため、捲りローラ３は、表紙捲りガイド駆動用マグネット１０９のＯＮ状態で、後段搬送、表紙捲り用モータ１０８の駆動に伴い回転する。一方、第１ガイドローラ２は、シャフト５に対して回動可能に設けられている。捲りローラ３は、比較的摩擦力の高いゴム等の弾性材料によってなり、その主要部分は略扇形の断面形状を有して、その扇形形状の曲面部分が見返し対象ページ９１に対する摩擦接触面４とされる。この捲りローラ３は、シャフト５の回転に伴い、曲面状の摩擦接触面４を見返し対象ページ９１に接触させて摩擦する。これにより、見返し対象ページ９１は、摩擦接触面４と、見返し対象ページ９１を挟んで摩擦接触面４に対向する位置にある図示しないガイドとで挟持される。なお、捲りローラ３は、シャフト５に同じ取り付け角度で２つ備えられ、通帳９０を同時に左右２箇所で押さえつける。また、摩擦接触面４からシャフト５の中心までの距離は、第１ガイドローラ２の半径より大きくされている。
【００２２】
第２ピンチローラ１５は、第２ピンチローラ軸支部材１７に第２ピンチローラ回転軸１６で回転自在に軸支される。なお、第２ピンチローラ回転軸１６は、後段搬送、表紙捲り用モータ１０８（図１に図示せず）に連結された駆動軸である。第２ピンチローラ軸支部材１７は、第２押し上げレバ１９の作動により回動可能に第２ピンチローラ軸支部材回動軸１８に組み付けられている。また、第２ピンチローラ軸支部材１７は、第２ピンチローラ１５が搬送路に臨む方向に図示しない付勢ばねで付勢される。このように、第２ピンチローラ１５は、搬送路に対して昇降可能とされており、搬送時にローラ面を通帳９０に接触させて第２ガイドローラ２５との間で押圧し、回転することにより通帳９０を搬送路に沿って移動させる。
【００２３】
第２押し上げレバ１９は、膨らみ検知パネルロック解除用マグネット１１０（図１に図示せず）に連結され、第２押し上げレバ回動軸２０を回動軸として回動する。膨らみ検知パネルロック解除用マグネット１１０は、ＯＦＦ状態で第２ピンチローラ１５を搬送路に臨ませ、ＯＮ状態で第２ピンチローラ１５を搬送路から後退させる。
【００２４】
また、膨らみ検知パネルロック解除用マグネット１１０は、膨らみ検知パネル２８の回動を規制するロック機構（図示せず）に作用し、回動可能状態と回動規制状態とを切り替える。膨らみ検知パネルロック解除用マグネット１１０のＯＦＦ状態で図示しないロック機構が膨らみ検知パネル２８の回動を規制し、ＯＮ状態でロック機構が膨らみ検知パネル２８の回動規制を解除する。これにより、膨らみ検知パネル２８は、回動規制状態では通帳９０の搬送を好適にガイドし、回動可能状態では、好適に膨らみ検知をすることができる。
【００２５】
ガイド８は、固定された通帳摺動面である。なお、固定された通帳摺動面は、側断面図に図示されていないが、可動部材（第１ピンチローラ（搬送ローラ）９、第２ピンチローラ（搬送ローラ）１５、プレッシャ２７、およびシートストッパ２２）との干渉領域をさけて搬送路前後方向に設けられて搬送路下面を形成している。
【００２６】
プレッシャ２７は、第１押し上げレバ回動軸１４を回動軸として回動駆動される。このプレッシャ２７の上面は、搬送された通帳９０の摺動面となっており、通帳の搬送時に、摺動面がその前後の搬送路面と同じ高さとなる状態とされる。また、捲りローラ３が回転される表紙めくり動作時には、押し上げレバ回動軸１４の回動に伴い先端部で通帳９０を下面から押し上げるように動作する。
【００２７】
ガイド７は、通帳９０を第１ガイドローラ２に案内し、搬送路上面を形成している。ガイド６は、捲りローラ３をシャフト５に固定する係止具としての機能を有するとともに、捲りローラ３の摩擦接触面４が上方に退避しているときに通帳９０をガイドする機能を有し、搬送路上面を形成している。
【００２８】
膨らみ検知パネル２８は、膨らみ検知パネル回動軸２４を回動軸にして回動可能であり、前述したとおり回動可能状態と回動規制状態とを切替可能である。回動規制状態では、通帳９０の搬送をガイドする機能を有して搬送路上面を形成する。また、回動許可状態では、見返し対象ページ９１に当接して、見返し対象ページ９１の撓みによって上方向に押圧されることで膨らみを検知する。膨らみ検知パネル２８は、膨らみ検知のために回動軸側端部の他側端部近傍（当接部より他側端部側）に遮光板２９を備える。遮光板２９は、膨らみ検知パネル２８の回動量にしたがい表紙捲り検知センサ１１２と、見返しチェック検知センサ１１３の２つのフォトセンサの遮光状態と通光状態とを切り替える。また、膨らみ検知パネル回動軸２４は、膨らみ検知パネル２８の見返し対象ページ９１との当接部から見て第２ガイドローラ２５の先の、見返しチェックの際の非見返し対象ページの上方にある。これにより、膨らみ検知パネル回動軸２４と当接部との距離を十分に離間して、見返し対象ページ９１の膨らみの変化に対して膨らみ検知パネル２８の回動量の変化が急激になり過ぎないようにしている。また、第１ガイドローラ２と第２ガイドローラ２５の間に当接部を設定できるため、ページ捲り装置１をコンパクトに構成することができる。
【００２９】
シートストッパ２２は、シートストッパ回動軸２１を回動軸として、シートストッパ駆動用マグネット１１１により駆動され、その先端部を搬送路面に突出させた状態と、搬送路面から退避した状態とが切り換え可能とされている。シートストッパ２２は、捲りローラ３による表紙捲り動作時に搬送路上への突出状態とされ、通帳９０の綴じ目部９２に当接して通帳９０の挿入方向への移動を規制する。これにより表紙捲り動作時における通帳９０の基準位置を与える。
【００３０】
次に、ページ捲り装置１の基本機能である表紙捲り機能について概要を説明する。
まず、初期状態では、捲りローラ３の摩擦接触面４、プレッシャ２７およびシートストッパ２２が搬送路から退避している。また、シャフト５は、捲りローラ３が搬送路から退避した位置でロックされている。そして、この状態で、表紙が閉じられた通帳９０が、綴り目方向を先頭にしてページ捲り装置内に搬送される。次に、第１ピンチローラ９が退避されるとともに、プレッシャ２７が上昇されて、通帳９０が上方向に反り返った状態とされる。また、シートストッパ２２が上昇されて、通帳９０の先頭部の移動が規制され、搬送方向の位置合わせが行われる。そして、シャフト５の回転とともに捲りローラ３が図１で反時計回りに回転される。これにより、捲りローラ３の摩擦接触面４が通帳９０の表紙に接触し、綴り目方向に摩擦する。表紙は、捲りローラ３の回転に伴って綴り目方向に容易に手繰り寄せられる。ここで、表紙に当接する膨らみ検知パネル２８が押し上げられ、遮光板２９の回動により表紙捲り検知センサ１１２が遮光状態（膨らみ検知パネル２８が下がった状態）から通光状態（膨らみ検知パネル２８が上がった状態）に切り替わり、表紙の捲りが検出される。この後、捲りローラ３の上方に表紙を跳ね上げてから、逆回転動作をして余計に跳ね上げたおそれのある中紙を第１ガイドローラ２の下に取り込み、捲りローラ３の摩擦接触面４は上方に退避して停止する。そして、搬送路から退避していた第１ピンチローラ９を搬送路に臨ませるとともに、プレッシャ２７が下降されて、印字機構側（図１でページ捲り装置１の左側）に通帳９０を搬送することで表紙を開くことができる。
【００３１】
次に、ページ捲り装置１の拡張機能である見返しチェック機能について概要を説明する。まず、初期状態では、捲りローラ３の摩擦接触面４、プレッシャ２７およびシートストッパ２２が搬送路から退避している。また、シャフト５は、捲りローラ３が搬送路から退避した位置でロックされている。そして、この状態で、裏表紙が開かれた通帳９０が、見返し対象ページ９１（裏表紙もしくは裏表紙に加えて捲り残された中紙）を後方にして印字機構側からページ捲り装置内に搬送される（図１）。次に、第１ピンチローラ９が退避されるとともに、プレッシャ２７が上昇されて、通帳９０が上方向に反り返った状態とされる。そして、シャフト５の回転とともに捲りローラ３が図１で反時計回りに回転される。これにより、捲りローラ３の摩擦接触面４が通帳９０の表紙に接触し、綴り目方向に摩擦して停止する。見返し対象ページ９１は、ガイドと摩擦接触面４の間に押さえつけられる。そして、搬送路から退避していた第１ピンチローラ９を搬送路に臨ませるとともに、プレッシャ２７が下降されて、通帳９０を印字機構側に搬送をすると、見返し対象ページ９１は、摩擦接触面４と通帳９０の綴り部との間で撓み、上方で当接する膨らみ検知パネル２８を押し上げる。
【００３２】
このとき、撓んだ紙が中紙であれば、比較的軟質であることから大きく撓み、膨らみ検知パネル２８を大きく回動させ、見返しチェック検知センサ１１３で膨らみ検知パネル２８の回動を検出できる。一方、撓んだ紙が裏表紙であれば、比較的硬質であることから大きな撓みとならず、膨らみ検知パネル２８を十分に回動させることがなく、見返しチェック検知センサ１１３で膨らみ検知パネル２８の回動を検出することはない。
【００３３】
したがって、見返しチェック検知センサ１１３で膨らみ検知パネル２８の回動を検出することで、見返し対象ページ９１に中紙が残っているか否かを検出することができる。
このように、ページ捲り装置１に見返しチェック検知センサ１１３を増設するだけで、見返しチェック機能を容易に拡張することができる。
【００３４】
以下、実施の形態をより具体的に説明する。
図２は、ＰＰＲ制御装置のハードウェア構成を示す図である。ＰＰＲ（Passbok Printer）制御装置１００は、ページ捲り機構の他に磁気ストライプの読み取り機構や印字機構を有するＰＰＲユニット１２０に備えられる。
【００３５】
ＰＰＲ制御装置１００では、ＣＰＵ（Central Processing Unit）１０１によって上記各機構が制御されている。ＣＰＵ１０１には、バス１０７を介してＲＡＭ（Random Access Memory）１０２、ＲＯＭ（Read Only Memory）１０３、通信インタフェース１０４、出力インタフェース１０５および入力インタフェース１０６が接続されている。
【００３６】
ＲＡＭ１０２には、ＣＰＵ１０１に実行させるＯＳ（Operating System）プログラムやアプリケーションプログラムの少なくとも一部が一時的に格納される。また、ＲＡＭ１０２には、ＣＰＵ１０１による処理に必要な各種データが格納される。ＲＯＭ１０３には、ＯＳプログラムやアプリケーションプログラムが格納される。通信インタフェース１０４は、通信線を介して後述のメイン制御部１２１に接続されている。
【００３７】
出力インタフェース１０５は、後段搬送、表紙捲り用モータ１０８、表紙捲りガイド駆動用マグネット１０９、膨らみ検知パネルロック解除用マグネット１１０およびシートストッパ駆動用マグネット１１１の制御信号を出力する。後段搬送、表紙捲り用モータ１０８は、ステッピングモータであり、制御信号によりＣＷ（ClockWise：時計回り）回転、ＣＣＷ（Counter ClockWise）回転で起動される。表紙捲りガイド駆動用マグネット１０９、膨らみ検知パネルロック解除用マグネット１１０およびシートストッパ駆動用マグネット１１１は、ＯＮ、ＯＦＦの制御信号によりストローク動作する。
【００３８】
入力インタフェース１０６は、表紙捲り検知センサ１１２、見返しチェック検知センサ１１３、捲りローラ位置検出センサ１１４および媒体搬送検知センサ１１５からの検知信号を入力する。表紙捲り検知センサ１１２、見返しチェック検知センサ１１３、捲りローラ位置検出センサ１１４および媒体搬送検知センサ１１５は、フォトセンサであり、発光素子と受光素子間にある媒体を遮光状態と通光状態とで検出する。
【００３９】
以上のようなハードウェア構成によって、本実施の形態の処理機能を実現することができる。
図３は、ＰＰＲユニットの機能を示すブロック図である。各制御ブロックに接続される各種センサや各種アクチュエータは図示を省略したが各機構部を含んでＰＰＲユニット１２０を構成している。
【００４０】
図３に示すＰＰＲユニット１２０とメイン制御部１２１とは、通帳発行機に備えられる。ＰＰＲユニット１２０は、ＰＰＲ制御部１２２が通信線を介してメイン制御部１２１と接続する。ＰＰＲ制御部１２２は、通信線を介してメイン制御部１２１からの指示を受付け、指示に基づく制御結果を応答する。また、ＰＰＲ制御部１２２は、磁気ストライプに記録された情報を読み書きするＭＳ（Magnetic Stripe：）制御部１２５および通帳に記帳する印字制御部１２６と連係してＰＰＲセンサ監視部１２４からの監視結果に基づいてＰＰＲ搬送制御部１２３を制御する。
【００４１】
ＰＰＲ搬送制御部１２３は、ＰＰＲ制御部１２２の指示に基づいて後段搬送、表紙捲り用モータ１０８、表紙捲りガイド駆動用マグネット１０９、膨らみ検知パネルロック解除用マグネット１１０およびシートストッパ駆動用マグネット１１１を制御する。ＰＰＲセンサ監視部１２４は、表紙捲り検知センサ１１２、見返しチェック検知センサ１１３、捲りローラ位置検出センサ１１４および媒体搬送検知センサ１１５のセンサ出力を監視し、ＰＰＲ制御部１２２に監視結果を通知する。ページ捲り装置１は、ページ捲り機構部、ＰＰＲ制御部１２２、ＰＰＲ搬送制御部１２３およびＰＰＲセンサ監視部１２４により構成される。ＭＳ制御部１２５は、ＰＰＲ制御部１２２と連携して磁気ストライプの読み取り機構を制御する。印字制御部１２６は、ＰＰＲ制御部１２２と連携して印字機構を制御する。
【００４２】
次に、ページ捲り装置１の拡張機能である見返しチェック機能について詳細に説明する。図４は、裏見返しチェック処理のフローチャートである。裏見返しチェック処理は、裏表紙の見返しチェックをする見返しチェック機能を実現する処理である。以下、図４に示す処理をステップ番号に沿って説明する。
【００４３】
［ステップＳ１］裏表紙閉じ動作の前の裏見返しチェックの開始指示を受けて裏見返しチェック処理が開始される。
［ステップＳ２］ページ捲り装置１（ページ捲り機構部）の搬送路に見返し対象となる通帳９０を搬送して見返し対象ページ９１をセットする通帳セット処理を実行する。通帳セット処理については、図５を用いて後述する。
【００４４】
［ステップＳ３］捲りローラ３で見返し対象ページ９１を押さえ、捲りローラ３で見返し対象ページ９１を押さえられた通帳９０の綴り部を捲りローラ３方向に搬送することで、見返し対象ページ９１を撓ませ、見返し対象ページ９１に当接した膨らみ検知パネル２８の回動させる捲りローラセット処理を実行する。捲りローラセット処理については、図６を用いて後述する。
【００４５】
［ステップＳ４］見返し対象ページ９１に当接した膨らみ検知パネル２８の回動量で中紙の有無を判定する。見返しチェック検知センサ１１３の検出信号により、見返し対象ページ９１に残りページ（中紙）があったか否かを判定する。具体的には、中紙があれば比較的軟質の中紙は大きく撓み、これに当接した膨らみ検知パネル２８の回動量が大きくなり、遮光板２９が見返しチェック検知センサ１１３を遮光するので、見返しチェック検知センサ１１３の遮光状態の検出でページ残りを判定できる。ページ残りがあった場合には、ステップＳ５が実行される。一方、中紙がなければ比較的硬質の裏表紙は大きく撓むことがないので、これに当接した膨らみ検知パネル２８の回動量は大きくならない。したがって、遮光板２９が見返しチェック検知センサ１１３を遮光することはないので、見返しチェック検知センサ１１３の通光状態の検出でページ残りなしを判定できる。ページ残りがなかった場合には、ステップＳ７が実行される。
【００４６】
［ステップＳ５］見返しチェックでページ残りがあった場合に実行するページ捲り動作へ移行するためのページ残処理を実行する。ページ残処理については、図７を用いて後述する。
【００４７】
［ステップＳ６］裏見返しチェックの結果、ページ残りありと判定されたため、残りページを捲るページ動作をおこなう必要がある。ページ捲り動作は、印字機構部のページ捲り機能によるため、通帳９０を印字機構部に搬送して裏見返しチェックを終了する。なお、印字機構部でページ捲り動作がおこなわれた後には、改めて裏見返しチェック処理が実行される。
【００４８】
［ステップＳ７］見返しチェックでページ残りがなかった場合に実行する裏表紙閉じ動作へ移行するための見返しチェック終了処理を実行する。見返しチェック終了処理については、図８を用いて後述する。
【００４９】
［ステップＳ８］裏見返しチェックの結果、ページ残りなしと判定されたため、裏表紙を閉じる動作をおこなう必要がある。裏表紙閉じ動作は、印字機構部の通帳裏表紙捲り機能によるため、通帳９０を印字機構部に搬送して裏見返しチェックを終了する。
【００５０】
次に、通帳セット処理を詳述する。図５は、通帳セット処理のフローチャートである。なお、図５から図８の各処理の詳細を説明する際に、併せて図９、図１０の裏見返しチェック処理のタイミングチャートと、図１１から図１６の裏見返しチェック処理におけるページ捲り装置の動作説明図を参照する。
【００５１】
通帳セット処理の開始時点で、後段搬送、表紙捲り用モータ１０８は停止、表紙捲りガイド駆動用マグネット１０９、膨らみ検知パネルロック解除用マグネット１１０は、ＯＦＦである。
【００５２】
［ステップＳ２１］搬送路に見返し対象となる通帳９０を所定位置にセットするため、後段搬送、表紙捲り用モータ１０８をＣＣＷ回転で起動（図９中のタイミングｐ１）して通帳９０を搬送する。これにより、第１ピンチローラ９、第２ピンチローラ１５が駆動され、搬送路にある通帳９０を見返し対象ページ９１を後方にして、印字機構部側からページ捲り装置１内に搬送する。なお、図示しない印字機構部に備えられる搬送機構も、印字機構部側から通帳９０を排出するようにして図示しない駆動源により駆動される。
【００５３】
［ステップＳ２２］搬送路を搬送される通帳９０の見返し対象ページ９１の押さえ位置を決めるため、フォトセンサからなる媒体搬送検知センサ１１５の通帳９０の搬送により通光状態から遮光状態になるのを監視して通帳９０の搬送状態を判定する。
【００５４】
［ステップＳ２３］所定時間の監視時間を経ても媒体搬送検知センサ１１５が遮光状態に変化しない場合、起動中の後段搬送、表紙捲り用モータ１０８を停止して、搬送エラーを報知する搬送エラー処理に移行するため、裏見返しチェック処理を終了する。
【００５５】
［ステップＳ２４］所定時間の監視時間のうちに媒体搬送検知センサ１１５が遮光状態に変化（タイミングｐ２）した場合、後段搬送、表紙捲り用モータ１０８をさらに所定ステップ（ステッピングモータの制御ステップ数）起動状態を保持してから停止（タイミングｐ３）して、搬送路を搬送される通帳９０の見返し対象ページ９１を押さえ位置にセットする。これにより、捲りローラ３の下方に見返し対象ページ９１がセットされる（図１１（１））。
【００５６】
通帳９０の見返し対象ページ９１を押さえ位置にセットしたら、通帳セット処理を終了し、次の捲りローラセット処理を開始する。
次に、捲りローラセット処理を詳述する。図６は、捲りローラセット処理のフローチャートである。
【００５７】
［ステップＳ３１］捲りローラ３の回転準備をするため、表紙捲りガイド駆動用マグネット１０９をＯＮ（タイミングｐ４）する。これにより、第１押し上げレバ１３が第１押し上げレバ回動軸１４を回動軸にして時計回りに回動する。そして、第１押し上げレバ１３は、当接する第１ピンチローラ軸支部材１１を、第１ピンチローラ軸支部材回動軸１２を回動軸にして反時計回りに回動させ、第１ピンチローラ９を搬送路から退避させる。同時に、プレッシャ２７は、押し上げレバ回動軸１４の回動に伴い先端部で通帳９０の見返し対象ページ９１を下面から押し上げるように動作する。また、表紙捲りガイド駆動用マグネット１０９をＯＮにして、後段搬送、表紙捲り用モータ１０８の駆動力をシャフト５に伝達するギアを連結して、後段搬送、表紙捲り用モータ１０８の駆動力により捲りローラ３を回転可能状態とする（図１１（２））。
【００５８】
［ステップＳ３２］見返し対象ページ９１を捲りローラ３で押さえるために、後段搬送、表紙捲り用モータ１０８をＣＣＷ回転で起動（タイミングｐ５）して、捲りローラ３を反時計周りに回転させる。同時に第２ピンチローラ１５は、時計回りに回転して通帳９０を捲りローラ３から遠ざかる方向に搬送して、見返し対象ページ９１の余計な撓み発生を防止する（図１２（３））。
【００５９】
［ステップＳ３３］捲りローラ３の停止位置を決めるため、フォトセンサからなる捲りローラ位置検出センサ１１４のシャフト５の回転に伴い回転する図示しない遮光板による遮光状態から通光状態への変化を監視して捲りローラ３の位置を検出する。
【００６０】
［ステップＳ３４］所定時間の監視時間を経ても捲りローラ位置検出センサ１１４が遮光状態から通光状態に変化しない場合、起動中の後段搬送、表紙捲り用モータ１０８を停止して、捲りローラ３の回転検出ができなかったことを報知する回転検知エラー処理に移行するため、裏見返しチェック処理を終了する。
【００６１】
［ステップＳ３５］所定時間の監視時間のうちに捲りローラ位置検出センサ１１４が遮光状態から通光状態に変化（タイミングｐ６）により、捲りローラ３の基準位置を検出する。基準位置検出後も後段搬送、表紙捲り用モータ１０８の起動状態を所定ステップ保持して、捲りローラ３を基準位置から所定角度回転させ、摩擦接触面４を見返し対象ページ９１に押し当てる位置を決める。このとき、見返し対象ページ９１は、摩擦接触面４と図示されないガイド（摺動面）との間で挟持される。なお、摩擦接触面４と見返し対象ページ９１の接触部は、見返し対象ページ９１の印字部を避けて設定されるため、摩擦接触時においても印字部のインクが捲りローラ３に転写されることはなく、捲りローラ３から通帳９０の紙面をインクで汚すこともない（図１２（４））。
【００６２】
［ステップＳ３６］次に、後段搬送、表紙捲り用モータ１０８を停止し、表紙捲りガイド駆動用マグネット１０９をＯＦＦ（タイミングｐ７）にして後段搬送、表紙捲り用モータ１０８の駆動力をシャフト５に伝達するギアを連結解除するとともに、捲りローラ３が時計回り方向への回転をしないように図示しないロック機構によりギアをロックして、捲りローラ３を停止させる。また、表紙捲りガイド駆動用マグネット１０９のＯＦＦにより、第１ピンチローラ９が搬送路に臨むとともに、プレッシャ２７が下降される。
【００６３】
次に、後段搬送、表紙捲り用モータ１０８を１０ステップほどＣＷ回転で起動（タイミングｐ９、ｐ１０）する（図１３（５））。これにより、通帳９０は、印字機構部側にわずかに搬送される。このわずかな通帳９０の搬送は、中紙が残っていた場合に、摩擦接触面４に押さえられた中紙と、第１ピンチローラ９により印字機構部側に押し出される裏表紙とをずらす予備膨らまし搬送という。予備膨らまし搬送は、中紙を撓ませるきっかけを好適に与えることができ、中紙と裏表紙が密着していた場合や、低温環境などの悪環境下における膨らみ検知の信頼性を向上させる。
【００６４】
［ステップＳ３７］次に、膨らみ検知パネルロック解除用マグネット１１０をＯＮ（タイミングｐ１１）して、第２ピンチローラ１５を搬送路から退避させるとともに、膨らみ検知パネル２８のロックを解除する。これにより、膨らみ検知パネル２８は、膨らみ検知パネル回動軸２４に対して回動を規制されて通帳をガイドする状態から、見返し対象ページの撓みにしたがい回動する膨らみ検知状態に切り替わる（図１３（６））。また、第２ピンチローラ１５を搬送路から退避させることで、見返し対象ページ９１は、摩擦接触面４と綴じ目部とで支持されて撓むので、第２ピンチローラ１５を搬送路に臨ませているときよりも支点間を大きく取ることができ、見返し対象ページ９１を良好に撓ませることができ検出精度を向上させる。
【００６５】
［ステップＳ３８］次に、停止中の後段搬送、表紙捲り用モータ１０８を所定ステップ数だけＣＷ回転（タイミングｐ１２、ｐ１３）をする。これにより、通帳９０が印字機構側に搬送されることなり、見返し対象ページ９１は、摩擦接触面４と通帳９０の綴り部との間で撓み、上方で当接する膨らみ検知パネル２８を押し上げる。このとき、ＣＷ回転するステップ数は、見返しチェック検知センサ１１３が中紙の撓みを検知するのに十分な値が設定される。また、第１ピンチローラ９が反時計周りに回転することで、中紙が残っていた場合には、摩擦接触面４に押さえられた中紙と、第１ピンチローラ９により印字機構部側に押し出される裏表紙とをずらして好適に中紙を撓ませることができる。
【００６６】
そして、ステップＳ４で見返しチェック検知センサ１１３が通光状態（図９中のタイミングｐ１３、図１４（７）、（８））であれば、見返しチェック終了処理（ステップＳ５）が実行され、ステップＳ４で見返しチェック検知センサ１１３が遮光状態（図１０中のタイミングｐ１３、図１６（１１））であれば、ページ残処理（ステップＳ７）が実行されることとなる。
【００６７】
次に、見返しチェック終了処理を詳述する。図７は、見返しチェック終了処理のフローチャートである。見返しチェック終了処理では、中紙の残りがないことを確認できたために、裏見返しチェックを終了して、裏表紙閉じ動作に移行するための処理をおこなう。
【００６８】
［ステップＳ５１］表紙捲りガイド駆動用マグネット１０９をＯＮ（タイミングｐ１４）し、後段搬送、表紙捲り用モータ１０８の駆動力により捲りローラ３を回転可能状態とし、第１ピンチローラ９を搬送路から退避させるとともに、プレッシャ２７が上昇される。そして、後段搬送、表紙捲り用モータ１０８をＣＷ回転で駆動（タイミングｐ１５）して、捲りローラ３を上方に退避する。
【００６９】
［ステップＳ５２］捲りローラ３の停止位置を決めるため、フォトセンサからなる捲りローラ位置検出センサ１１４のシャフト５の回転に伴い回転する図示しない遮光板による通光状態から遮光状態への変化を監視して捲りローラ３の位置を検出する。
【００７０】
［ステップＳ５３］所定時間の監視時間を経ても捲りローラ位置検出センサ１１４が通光状態から遮光状態に変化しない場合に実行する。起動中の後段搬送、表紙捲り用モータ１０８を停止して、回転検知エラー処理に移行するため、裏見返しチェック処理を終了する。
【００７１】
［ステップＳ５４］所定時間の監視時間内に捲りローラ位置検出センサ１１４の通光状態から遮光状態への変化を検出（タイミングｐ１６）した場合に実行する。捲りローラ３の位置をリセットするため、後段搬送、表紙捲り用モータ１０８のＣＷ回転状態をさらに所定ステップだけ継続して停止（タイミングｐ１７）する（図１５（９））。
【００７２】
［ステップＳ５５］表紙捲りガイド駆動用マグネット１０９をＯＦＦにして後段搬送、表紙捲り用モータ１０８の駆動力をシャフト５に伝達するギアを連結解除し、第１ピンチローラ９を搬送路に臨ませるとともに、プレッシャ２７を下降させる。さらに、膨らみ検知パネルロック解除用マグネット１１０をＯＦＦ（タイミングｐ１８）として、第１ピンチローラ９、第２ピンチローラ１５を搬送路に臨ませ、後段搬送、表紙捲り用モータ１０８をＣＷ回転で駆動（タイミングｐ１９）し、裏表紙を閉じる裏表紙閉じ動作をおこなうために通帳９０を印字機構部側に搬送して（図１５（１０））、裏見返しチェック処理を終了する。
【００７３】
なお、ステップＳ４で見返しチェック検知センサ１１３が通光状態（図９中のタイミングｐ１３）のときに、通帳９０によっては若干の撓みが発生して膨らみ検知パネル２８を押し上げる（図１４（８））。このとき、表紙捲り検知センサ１１２のタイミングチャートは、通常であればＴＣ１（実線）のようになるところ、ＴＣ２（破線）のようになる。したがって、見返しチェック検知センサ１１３は、この通帳９０の違いによるＴＣ２のような誤検知をしない範囲に設けられる。なお、表紙捲り検知センサ１１２は、膨らみ検知パネルが下がっていることを検知する役割を担うため、できるだけ低い位置に設けられる。
【００７４】
次に、ページ残処理を詳述する。図８は、ページ残処理のフローチャートである。ページ残処理では、中紙の残りがあることを確認したために、裏見返しチェックを終了して、ページ１枚捲り動作に移行するための処理をおこなう。
【００７５】
［ステップＳ７１］後段搬送、表紙捲り用モータ１０８をステップＳ３８でＣＷ回転した所定ステップ数だけＣＣＷ回転で駆動（タイミングｐ２１、２２）して、印字機構部側に搬送された通帳９０を通帳補充機構部側に戻し、中紙の撓みを解消する（図１６（１２））。
【００７６】
［ステップＳ７２］表紙捲りガイド駆動用マグネット１０９をＯＮ（タイミングｐ２３）し、後段搬送、表紙捲り用モータ１０８の駆動力により捲りローラ３を回転可能状態とし、第１ピンチローラ９を搬送路から退避させるとともに、プレッシャ２７が上昇される。そして、後段搬送、表紙捲り用モータ１０８をＣＷ回転で駆動（タイミングｐ２４）して、捲りローラ３を上方に退避する。
【００７７】
［ステップＳ７３］捲りローラ３の停止位置を決めるため、フォトセンサからなる捲りローラ位置検出センサ１１４のシャフト５の回転に伴い回転する図示しない遮光板による通光状態から遮光状態への変化を監視して捲りローラ３の位置を検出する。
【００７８】
［ステップＳ７４］所定時間の監視時間を経ても捲りローラ位置検出センサ１１４が通光状態から遮光状態に変化しない場合に実行する。起動中の後段搬送、表紙捲り用モータ１０８を停止して、回転検知エラー処理に移行するため、裏見返しチェック処理を終了する。
【００７９】
［ステップＳ７５］所定時間の監視時間内に捲りローラ位置検出センサ１１４の通光状態から遮光状態への変化を検出（タイミングｐ２５）した場合に実行する。捲りローラ３の位置をリセットするため、後段搬送、表紙捲り用モータ１０８のＣＷ回転状態をさらに所定ステップだけ継続して停止（タイミングｐ２６）する（図１５（９））。
【００８０】
［ステップＳ７６］表紙捲りガイド駆動用マグネット１０９をＯＦＦにして後段搬送、表紙捲り用モータ１０８の駆動力をシャフト５に伝達するギアを連結解除し、第１ピンチローラ９を搬送路に臨ませるとともに、プレッシャ２７を下降させる。さらに、膨らみ検知パネルロック解除用マグネット１１０をＯＦＦ（タイミングｐ２７）として、第１ピンチローラ９、第２ピンチローラ１５を搬送路に臨ませ、後段搬送、表紙捲り用モータ１０８をＣＷ回転で駆動（タイミングｐ２８）し、残った中紙を捲るページ１枚捲り動作をするために通帳９０を印字機構部側に搬送して（図１５（１０））、裏見返しチェック処理を終了する。
【００８１】
なお、印字機構部でページ１枚捲り動作がされた後、改めて裏見返しチェック処理が実行される。
以上のように、本実施の形態に係るページ捲り装置によれば、誤検知を防止しながら、確実にページ残りを検知できる。また、ページ捲り装置１に見返しチェック検知センサ１１３を増設するだけで、見返しチェック機能を容易に拡張することができる。
【００８２】
以上、本発明のページ捲り装置を図示の実施の形態に基づいて説明したが、本発明はこれに限定されるものではなく、ページ捲り装置１の各部の構成は、同様の機能を有する任意の構成のものに置換することができる。また、本発明に他の任意の構成物や工程が付加されていてもよい。
【図面の簡単な説明】
【００８３】
【図１】本実施の形態に係るページ捲り装置の構成を示す側断面図である。
【図２】ＰＰＲ制御装置のハードウェア構成を示す図である。
【図３】ＰＰＲユニットの機能を示すブロック図である。
【図４】裏見返しチェック処理のフローチャートである。
【図５】通帳セット処理のフローチャートである。
【図６】捲りローラセット処理のフローチャートである。
【図７】見返しチェック終了処理のフローチャートである。
【図８】ページ残処理のフローチャートである。
【図９】裏見返しチェック処理のタイミングチャートである。
【図１０】裏見返しチェック処理のタイミングチャートである。
【図１１】裏見返しチェック処理におけるページ捲り装置の動作説明図である。
【図１２】裏見返しチェック処理におけるページ捲り装置の動作説明図である。
【図１３】裏見返しチェック処理におけるページ捲り装置の動作説明図である。
【図１４】裏見返しチェック処理におけるページ捲り装置の動作説明図である。
【図１５】裏見返しチェック処理におけるページ捲り装置の動作説明図である。
【図１６】裏見返しチェック処理におけるページ捲り装置の動作説明図である。
【符号の説明】
【００８４】
１  ページ捲り装置
２  ガイドローラ
３  捲りローラ
４  摩擦接触面
５  シャフト
６  ガイド
７  ガイド
８  ガイド
９  第１ピンチローラ
１０  第１ピンチローラ回転軸
１１  第１ピンチローラ軸支部材
１２  第１ピンチローラ軸支部材回動軸
１３  第１押し上げレバ
１４  第１押し上げレバ回動軸
１５  第２ピンチローラ
１６  第２ピンチローラ回転軸
１７  第２ピンチローラ軸支部材
１８  第２ピンチローラ軸支部材回動軸
１９  第２押し上げレバ
２０  第２押し上げレバ回動軸
２１  シートストッパ回動軸
２２  シートストッパ
２４  膨らみ検知パネル回動軸
２５  ガイドローラ
２６  シャフト
２７  プレッシャ
２８  膨らみ検知パネル
２９  遮光板
９０  通帳
９１  見返し対象ページ
９２  綴じ目部
１１２  表紙捲り検知センサ
１１３  見返しチェック検知センサ
【図１】
2010125788.tif 000003
【図２】
2010125788.tif 000004
【図３】
2010125788.tif 000005
【図４】
2010125788.tif 000006
【図５】
2010125788.tif 000007
【図６】
2010125788.tif 000008
【図７】
2010125788.tif 000009
【図８】
2010125788.tif 000010
【図９】
2010125788.tif 000011
【図１０】
2010125788.tif 000012
【図１１】
2010125788.tif 000013
【図１２】
2010125788.tif 000014
【図１３】
2010125788.tif 000015
【図１４】
2010125788.tif 000016
【図１５】
2010125788.tif 000017
【図１６】
2010125788.tif 000018